(57)【要約】【課題】  カード型記録媒体の不用意な取り外しを防止し、装置本体およびカード型記録媒体を保護する。【解決手段】  ディスプレイパネル１２と、カード型機器ＣＲＤが挿入されるカードスロット１７と、を有し、カードスロット１７が通常使用状態においてディスプレイパネル１２の背面側に位置することとなる車載用機器１０において、ユーザによるカードスロット１７に対する操作が可能となるように、ディスプレイパネル１２の姿勢変更を行わせるべくユーザが変更操作を行うための操作部１４と、カードスロット１７にカード型機器ＣＲＤが挿入されており、かつ、変更操作がなされた場合に、カード型機器ＣＲＤへの電源を遮断した後に、ディスプレイパネル１２の姿勢を変更する。【選択図】      図１
2005255005.tif 000002
【特許請求の範囲】
【請求項１】
ディスプレイパネルと、カード型機器が挿入されるカード挿入部と、を有し、前記カード挿入部が通常使用状態においてディスプレイパネル背面側に位置することとなる車載用機器において、
ユーザによる前記カード挿入部に対する操作が可能となるように、前記ディスプレイパネルの姿勢変更を行わせるべく変更操作を行うための操作部と、
前記カード挿入部に前記カード型機器が挿入されており、かつ、前記変更操作がなされた場合に、前記カード型機器への電源を遮断した後に、前記ディスプレイパネルの姿勢を変更する姿勢制御部と、
を備えたことを特徴とする車載用機器。
【請求項２】
請求項１記載の車載用機器において、
前記姿勢制御部は、前記カード型機器に所定の処理を行っている場合に当該所定の動作が完了してから前記カード型機器への電源を遮断することを特徴とする車載用機器。
【請求項３】
請求項２記載の車載用機器において、
前記所定の処理は、書き込み処理であることを特徴とする車載用機器。
【請求項４】
請求項３記載の車載用機器において、
前記変更操作がなされた場合に、書き込み処理中である旨を告知する告知部を備えたことを特徴とする車載用機器。
【請求項５】
請求項３記載の車載用機器において、
前記書き込み処理が行われている場合に、当該書き込み処理を強制終了させる指示がユーザにより入力された場合に前記カード型機器への電源を遮断することを特徴とする車載用機器。
【請求項６】
ディスプレイパネルと、カード型機器が挿入されるカード挿入部と、を有し、前記カード挿入部が通常使用状態においてディスプレイパネル背面側に位置することとなる車載用機器において、
ユーザによる前記カード挿入部に対する操作が可能となるように、前記ディスプレイパネルの姿勢変更を行わせるべく変更操作を行うための操作部と、
前記カード挿入部に前記カード型機器が挿入されて使用されており、かつ、前記変更操作がなされた場合に、前記カード型機器の使用終了処理を行った後に、前記ディスプレイパネルの姿勢を変更する姿勢制御部と、
を備えたことを特徴とする車載用機器。
【請求項７】
請求項６記載の車載用機器において、
前記変更操作がなされた場合に、前記カード挿入部に前記カード型機器が挿入されて使用されている旨を告知する告知部を備えたことを特徴とする車載用機器。
【請求項８】
ディスプレイパネルと、カード型機器が挿入されるカード挿入部と、を有し、前記カード挿入部が通常使用状態においてディスプレイパネル背面側に位置することとなる車載用機器の制御方法において、
前記カード挿入部に対する操作が可能となるようにユーザからの前記ディスプレイパネルの姿勢変更指示を受け付ける操作過程と、
前記カード挿入部に前記カード型機器が挿入されており、かつ、前記変更指示がなされた場合に、前記カード型機器への電源を遮断する電源遮断過程と、
前記ディスプレイパネルの姿勢を変更する姿勢制御過程と、
を備えたことを特徴とする車載用機器の制御方法。
【請求項９】
ディスプレイパネルと、カード型機器が挿入されるカード挿入部と、を有し、前記カード挿入部が通常使用状態においてディスプレイパネル背面側に位置することとなる車載用機器の制御方法において、
前記カード挿入部に対する操作が可能となるように、ユーザからの前記ディスプレイパネルの姿勢変更指示を受け付ける操作過程と、
前記カード挿入部に前記カード型機器が挿入されて使用されており、かつ、前記変更操作がなされた場合に、前記カード型機器の使用終了処理を行う終了処理過程と、
前記ディスプレイパネルの姿勢を変更する姿勢制御過程と、
を備えたことを特徴とする車載用機器の制御方法。
【請求項１０】
ディスプレイパネルと、カード型機器が挿入されるカード挿入部と、を有し、前記カード挿入部が通常使用状態においてディスプレイパネル背面側に位置することとなる車載用機器をコンピュータにより制御する制御プログラムにおいて、
前記カード挿入部に対する操作が可能となるようにユーザからの前記ディスプレイパネルの姿勢変更指示を受け付けさせ、
前記カード挿入部に前記カード型機器が挿入されており、かつ、前記変更指示がなされた場合に、前記カード型機器への電源を遮断させ、
前記電源の遮断後に、前記ディスプレイパネルの姿勢を変更させる、
ことを特徴とする制御プログラム。
【請求項１１】
請求項１０記載の制御プログラムにおいて、
前記カード型機器に所定の処理を行っている場合に当該所定の動作が完了してから前記カード型機器への電源を遮断させることを特徴とする制御プログラム。
【請求項１２】
請求項１１記載の制御プログラムにおいて、
前記所定の処理は、書き込み処理であり、前記変更操作がなされた場合に、書き込み処理中である旨を告知させることを特徴とする制御プログラム。
【請求項１３】
請求項１２記載の制御プログラムにおいて、
前記書き込み処理が行われている場合に、当該書き込み処理を強制終了させる指示がユーザにより入力された場合に前記カード型機器への電源を遮断させることを特徴とする制御プログラム。
【請求項１４】
ディスプレイパネルと、カード型機器が挿入されるカード挿入部と、を有し、前記カード挿入部が通常使用状態においてディスプレイパネル背面側に位置することとなる車載用機器をコンピュータにより制御するための制御プログラムにおいて、
前記カード挿入部に対する操作が可能となるように、ユーザからの前記ディスプレイパネルの姿勢変更指示を受け付けさせ、
前記カード挿入部に前記カード型機器が挿入されて使用されており、かつ、前記変更操作がなされた場合に、前記カード型機器の使用終了処理を行わせ、
前記ディスプレイパネルの姿勢を変更させる、
ことを特徴とする制御プログラム。
【請求項１５】
請求項１４記載の制御プログラムにおいて、
前記変更操作がなされた場合に、前記カード挿入部に前記カード型機器が挿入されて使用されている旨を告知させることを特徴とする制御プログラム。
【請求項１６】
請求項１０ないし請求項１５のいずれかに記載の制御プログラムを記録したことを特徴とするコンピュータ読取可能な記録媒体。
【発明の詳細な説明】
【技術分野】
【０００１】
本発明は、車載用機器、車載用機器の制御方法、制御プログラムおよび記録媒体に係り、特にカード型機器を挿入するためのカードスロットを備えた車載用機器、車載用機器の制御方法、制御プログラムおよび記録媒体に関する。
【背景技術】
【０００２】
従来より車載用機器として、ＤＶＤ、ＣＤ、ＭＤ（Mini Disc）、コンパクトカセット等の各種メディアの再生装置を備えたものが知られている。
【０００３】
このような車載用機器においては、ユーザがメディアの取り出しを行う際には、イジェクトボタンを操作することとなっており、各メディアの再生中であっても、正規の手順を経て、再生を中断し、取り出しが行えるようになっていた。
【特許文献１】特開２００３−２８８６９０号公報
【発明の開示】
【発明が解決しようとする課題】
【０００４】
ところで、近年のパーソナルコンピュータあるいは車載用機器においては、ＰＣＭＣＩＡ規格に準拠したＴＹＰＥIまたはII等に準ずるカード型記録媒体を挿入するカードスロットを備えたものや、より小型の半導体を利用したカード型記録媒体（いわゆる、メモリカード）を挿入するカードスロットを備えたものが知られている（例えば、特許文献１参照）。
【０００５】
このようなカード型記録媒体を挿入するカードスロットにおいては、イジェクトボタンが設けられない場合も有り、電源が供給された状態、すなわち、通電中にカード型記録媒体をユーザが取りはずしてしまうと、カード型記録媒体に記憶されているデータ等が電気的に破損してしまうおそれがあった。
【０００６】
そこで、本発明の目的は、カード型記録媒体の不用意な取り外しを防止し、装置本体およびカード型記録媒体を保護することが可能な車載用機器、車載用機器の制御方法、制御プログラムおよび記録媒体を提供することにある。
【課題を解決するための手段】
【０００７】
上記課題を解決するため、ディスプレイパネルと、カード型機器が挿入されるカード挿入部と、を有し、前記カード挿入部が通常使用状態においてディスプレイパネル背面側に位置することとなる車載用機器は、ユーザによる前記カード挿入部に対する操作が可能となるように、前記ディスプレイパネルの姿勢変更を行わせるべく変更操作を行うための操作部と、前記カード挿入部に前記カード型機器が挿入されており、かつ、前記変更操作がなされた場合に、前記カード型機器への電源を遮断した後に、前記ディスプレイパネルの姿勢を変更する姿勢制御部と、を備えたことを特徴としている。
【０００８】
上記構成によれば、操作部は、ユーザによる前記カード挿入部に対する操作が可能となるように、ディスプレイパネルの姿勢変更を行わせるべくユーザが変更操作を行う。
これにより、姿勢制御部は、カード挿入部にカード型機器が挿入されており、かつ、変更操作がなされた場合に、カード型機器への電源を遮断した後に、ディスプレイパネルの姿勢を変更する。
【０００９】
この場合において、前記姿勢制御部は、前記カード型機器に所定の処理を行っている場合に当該所定の動作が完了してから前記カード型機器への電源を遮断するようにしてもよい。
また、前記所定の処理は、書き込み処理であるようにしてもよい。
【００１０】
さらに、前記変更操作がなされた場合に、書き込み処理中である旨を告知する告知部を備えるようにしてもよい。
さらにまた、前記書き込み処理が行われている場合に、当該書き込み処理を強制終了させる指示がユーザにより入力された場合に前記カード型機器への電源を遮断するようにしてもよい。
【００１１】
また、ディスプレイパネルと、カード型機器が挿入されるカード挿入部と、を有し、前記カード挿入部が通常使用状態においてディスプレイパネル背面側に位置することとなる車載用機器は、ユーザによる前記カード挿入部に対する操作が可能となるように、前記ディスプレイパネルの姿勢変更を行わせるべく変更操作を行うための操作部と、前記カード挿入部に前記カード型機器が挿入されて使用されており、かつ、前記変更操作がなされた場合に、前記カード型機器の使用終了処理を行った後に、前記ディスプレイパネルの姿勢を変更する姿勢制御部と、を備えたことを特徴としている。
【００１２】
上記構成によれば、操作部は、ユーザによるカード挿入部に対する操作が可能となるように、ディスプレイパネルの姿勢変更を行わせるべくユーザが変更操作を行う。
これにより、姿勢制御部は、カード挿入部にカード型機器が挿入されて使用されており、かつ、変更操作がなされた場合に、カード型機器の使用終了処理を行った後に、ディスプレイパネルの姿勢を変更する。
【００１３】
この場合において、前記変更操作がなされた場合に、前記カード挿入部に前記カード型機器が挿入されて使用されている旨を告知する告知部を備えるようにしてもよい。
【００１４】
また、ディスプレイパネルと、カード型機器が挿入されるカード挿入部と、を有し、前記カード挿入部が通常使用状態においてディスプレイパネル背面側に位置することとなる車載用機器の制御方法は、前記カード挿入部に対する操作が可能となるようにユーザからの前記ディスプレイパネルの姿勢変更指示を受け付ける操作過程と、前記カード挿入部に前記カード型機器が挿入されており、かつ、前記変更指示がなされた場合に、前記カード型機器への電源を遮断する電源遮断過程と、前記ディスプレイパネルの姿勢を変更する姿勢制御過程と、を備えたことを特徴としている。
【００１５】
また、ディスプレイパネルと、カード型機器が挿入されるカード挿入部と、を有し、前記カード挿入部が通常使用状態においてディスプレイパネル背面側に位置することとなる車載用機器の制御方法は、前記カード挿入部に対する操作が可能となるように、ユーザからの前記ディスプレイパネルの姿勢変更指示を受け付ける操作過程と、前記カード挿入部に前記カード型機器が挿入されて使用されており、かつ、前記変更操作がなされた場合に、前記カード型機器の使用終了処理を行う終了処理過程と、前記ディスプレイパネルの姿勢を変更する姿勢制御過程と、を備えたことを特徴としている。
【００１６】
また、ディスプレイパネルと、カード型機器が挿入されるカード挿入部と、を有し、前記カード挿入部が通常使用状態においてディスプレイパネル背面側に位置することとなる車載用機器をコンピュータにより制御する制御プログラムは、前記カード挿入部に対する操作が可能となるようにユーザからの前記ディスプレイパネルの姿勢変更指示を受け付けさせ、前記カード挿入部に前記カード型機器が挿入されており、かつ、前記変更指示がなされた場合に、前記カード型機器への電源を遮断させ、前記電源の遮断後に、前記ディスプレイパネルの姿勢を変更させる、ことを特徴としている。
【００１７】
この場合において、前記カード型機器に所定の処理を行っている場合に当該所定の動作が完了してから前記カード型機器への電源を遮断させるようにしてもよい。
【００１８】
また、前記所定の処理は、書き込み処理であり、前記変更操作がなされた場合に、書き込み処理中である旨を告知させるようにしてもよい。
さらに、前記書き込み処理が行われている場合に、当該書き込み処理を強制終了させる指示がユーザにより入力された場合に前記カード型機器への電源を遮断させるようにしてもよい。
【００１９】
また、ディスプレイパネルと、カード型機器が挿入されるカード挿入部と、を有し、前記カード挿入部が通常使用状態においてディスプレイパネル背面側に位置することとなる車載用機器をコンピュータにより制御するための制御プログラムは、前記カード挿入部に対する操作が可能となるように、ユーザからの前記ディスプレイパネルの姿勢変更指示を受け付けさせ、前記カード挿入部に前記カード型機器が挿入されて使用されており、かつ、前記変更操作がなされた場合に、前記カード型機器の使用終了処理を行わせ、前記ディスプレイパネルの姿勢を変更させる、ことを特徴としている。
【００２０】
この場合において、前記変更操作がなされた場合に、前記カード挿入部に前記カード型機器が挿入されて使用されている旨を告知させるようにしてもよい。
また、上記各制御プログラムをコンピュータ読取可能な記録媒体に記録するようにすることも可能である。
【発明の効果】
【００２１】
本発明によれば、動作中のカード型機器をユーザが誤って取り外すことがなくなり、安全にカード型機器を取り外すことができる。
【発明を実施するための最良の形態】
【００２２】
次に本発明の好適な実施の形態について図面を参照して説明する。
【００２３】
［１］第１実施形態
図１は、第１実施形態の車載用機器の主要部の概要構成ブロック図である。
車載用機器１０は、車載用機器１０全体を制御するＭＰＵ１１と、各種情報を表示するディスプレイパネル１２と、ＭＰＵ１１の制御下で、ディスプレイパネル１２の駆動制御を行うサブＭＰＵ１３と、各種操作を行う操作部１４と、サブＭＰＵ１３の制御下で、ディスプレイパネル１２の姿勢制御を行うべく駆動信号を生成するモータドライバ１５と、モータドライバ１５の出力する駆動信号に基づいてディスプレイパネル１２を実際に駆動するモータするモータ１６と、メモリカードなどのカード型機器ＣＲＤが挿入されるカードスロット１７と、カードスロット１７のインターフェース動作を行うカードインターフェース（Ｉ／Ｆ）１８と、を備えている。
【００２４】
ここで、ＭＰＵ１１およびサブＭＰＵ１３は、制御用プログラムおよび制御用データをあらかじめ記憶している図示しないＲＯＭと、各種データを一時的に格納する図示しないＲＡＭと、ＲＯＭに格納された制御用プログラムに基づいて各種制御を行う図示しないＣＰＵと、を備えている。
【００２５】
ディスプレイパネル１２は、例えば、液晶ディスプレイを備えて構成されており、必要に応じて、その表面には、操作部１４の一部を構成するタッチパネルが設けられる。
【００２６】
図２は、車載用機器の設置状態説明図である。図３は、車載用機器の通常使用状態の外観斜視図である。図４は、車載用機器のカードスロット操作状態の外観斜視図である。
車載用機器１０は、ダッシュボードパネルＤＰ内にその筐体１０Ａが収納されるように設けられている。
【００２７】
操作部１４は、ディスプレイパネル１２の姿勢を、図３に示すようにディスプレイの通常使用状態（クローズ状態）から、図４に示すようにカードスロット１７の操作が可能なオープン状態とするための指示を行うオープンキー１９と、ディスプレイパネル１２の姿勢をオープン位置から通常使用状態（クローズ状態）とするための指示を行うクローズキー２０と、を備えている。
【００２８】
ディスプレイパネル１２の側面上方には、図２に示すように、筐体１０Ａの対向する面に設けられた摺動溝１０Ｂ内を摺動する摺動軸１２Ａが設けられている。また、ディスプレイパネル１２の側面下方には、モータ１６により矢印Ｆ方向および矢印Ｒ方向に駆動されるスライドバー１６Ａに回動自在に支持される回動軸１２Ｂが設けられている。
【００２９】
これらの結果、モータ１６によりスライドバー１６Ａが矢印Ｆ方向に駆動されると、ディスプレイパネル１２は、図２において、時計回り方向に倒れ込み、摺動軸１２Ａが摺動溝１０Ｂ内を下方向に摺動して、図４に示すように、ユーザがカードスロット１７などを操作可能な状態（オープン状態）となる。
【００３０】
一方、モータ１６によりスライドバー１６Ａが矢印Ｒ方向に駆動されると、ディスプレイパネル１２は、図２において、半時計回り方向に起きあがり、摺動軸１２Ａが摺動溝１０Ｂ内を上方向に摺動して、図３に示すように、通常使用状態（クローズ状態）となる。
【００３１】
次に第１実施形態の車載用機器の動作について説明する。
図５は、第１実施形態の処理フローチャートである。図６は、カード機器をカードスロットに挿入した状態の外観斜視図である。
【００３２】
まず、ＭＰＵ１１は、サブＭＰＵ１３を介してオープンキー１９が操作されたことを検出すると（ステップＳ１１）、カードＩ／Ｆ１８を介してカードスロット１７にカード型機器ＣＲＤが装着されているか否かを判別する（ステップＳ１２）。
【００３３】
ステップＳ１２の判別において、カードスロット１７にカード型機器ＣＲＤが装着されていない場合には（ステップＳ１２；なし）、ＭＰＵ１１は、サブＭＰＵ１３に対し、ディスプレイパネル１２をユーザがカードスロット１７などを操作可能な状態とするためのオープンコマンドを発行する。
【００３４】
この結果、サブＭＰＵ１３は、モータドライバ１５を介してモータ１６を駆動し、スライドバー１６Ａを矢印Ｆ方向に駆動させる。これにより、ディスプレイパネル１２は、図２に示したように、時計回り方向に倒れ込み、摺動軸１２Ａが摺動溝１０Ｂ内を下方向に摺動して、図４に示したように、ユーザがカードスロット１７などを操作可能な状態、すなわち、オープン状態とされる（ステップＳ１３）。
【００３５】
ステップＳ１２の判別において、カードスロット１７にカード型機器ＣＲＤが装着されている場合には（ステップＳ１２；あり）、ＭＰＵ１１は、カード型機器ＣＲＤが使用中か否かを判別する（ステップＳ１４）。
【００３６】
以下の説明においては、カード型機器ＣＲＤが使用中であるとは、データ再生中あるいはデータ書込み中をいうが、これに限られるものではなく、各種アプリケーションプログラムにおいて使用されているか、あるいは、使用に準ずる状態とされているかをいい、単に電源が投入されている状態を含まない。例えば、カード型機器ＣＲＤが通信機器である場合には、通信アプリケーションにより通信中あるいは通信応答待ち状態などをいい、通信アプリケーションが起動されていないでカード型機器ＣＲＤに電源が投入されているだけの状態を含まない。
【００３７】
ステップＳ１４の判別において、カード型機器ＣＲＤが使用中ではない場合には（ステップＳ１４；Ｎｏ）、ＭＰＵ１１は、カード型機器ＣＲＤに対する電源を正規の手順で切断（電源供給を遮断）し、バスラインからカード型機器ＣＲＤを切り離す（ステップＳ１５）。そして、ＭＰＵ１１は、サブＭＰＵ１３に対し、オープンコマンドを発行し、図６に示すように、ユーザがカードスロット１７などを操作可能な状態となるようにディスプレイパネル１２をオープン状態とする（ステップＳ１３）。
【００３８】
ステップＳ１４の判別において、カード型機器ＣＲＤが使用中である場合には、ＭＰＵ１１は、カードＩ／Ｆ１８を介してカード型機器ＣＲＤがデータ再生中あるいはデータ書込み中のいずれであるかを判別する（ステップＳ１６）
ステップＳ１６の判別において、カード型機器ＣＲＤがデータ再生中である場合には（ステップＳ１６；再生中）、ＭＰＵ１１は、カード型機器ＣＲＤに対する電源を正規の手順で切断（電源供給を遮断）し、バスラインからカード型機器ＣＲＤを切り離し（ステップＳ１５）、サブＭＰＵ１３に対し、オープンコマンドを発行し、図６に示したように、ユーザがカードスロット１７などを操作可能な状態となるようにディスプレイパネル１２をオープン状態とする（ステップＳ１３）。
【００３９】
ステップＳ１６の判別において、カード型機器ＣＲＤがデータ書込み中である場合には（ステップＳ１６；書込み中）、ＭＰＵ１１は、ディスプレイパネル１２にデータ書き込み中であり、書き込みが終了するまで、ディスプレイパネル１２を図３に示した状態とし、ディスプレイパネル１２をオープン状態にできない旨を表示するとともに、図示しないスピーカなどから警告音を発する（ステップＳ１７）。
【００４０】
続いてＭＰＵ１１は、カードＩ／Ｆ１８を介してカードスロット１７におけるカード型機器ＣＲＤのデータ書込み処理が終了したか否かを判別する（ステップＳ１８）。
ステップＳ１８の判別において、カードスロット１７におけるカード型機器ＣＲＤのデータ書込み処理が終了していない場合には（ステップＳ１８；Ｎｏ）、そのまま、待機状態となる。
【００４１】
ステップＳ１８の判別において、カードスロット１７におけるカード型機器ＣＲＤのデータ書込み処理が終了した場合には、（ステップＳ１８；Ｙｅｓ）、ＭＰＵ１１は、カード型機器ＣＲＤに対する電源を正規の手順で切断（電源供給を遮断）し、バスラインからカード型機器ＣＲＤを切り離し（ステップＳ１５）、サブＭＰＵ１３に対し、オープンコマンドを発行し、ユーザがカードスロット１７などを操作可能な状態となるようにディスプレイパネル１２をオープン状態とする（ステップＳ１３）。
【００４２】
以上の説明のように、本第１実施形態によれば、カード型機器ＣＲＤがカードスロット１７に挿入されている場合には、カード型機器ＣＲＤの動作状態に応じた正規の手順で電源を切断してから、カードスロット１７への操作が可能な状態にディスプレイパネル１２の姿勢をオープン状態とするので、動作中のカード型機器ＣＲＤをユーザが誤って取り外すことがなくなり、安全にカード型機器ＣＲＤを取り外すことができる。
【００４３】
［２］第２実施形態
以上の第１実施形態においては、カード型機器ＣＲＤの動作状態（再生中あるいは書込み中）に応じて処理を切り換えていたが、本第２実施形態は、動作状態に関わらず、電源を切断する場合の実施形態である。
本第２実施形態の構成は第１実施形態と同様であるので、詳細な説明は省略する。
【００４４】
図７は、第２実施形態の処理フローチャートである。
まず、ＭＰＵ１１は、サブＭＰＵ１３を介してオープンキー１９が操作されたことを検出すると（ステップＳ２１）、カードＩ／Ｆ１８を介してカードスロット１７にカード型機器ＣＲＤが装着されているか否かを判別する（ステップＳ１２）。
【００４５】
ステップＳ１２の判別において、カードスロット１７にカード型機器ＣＲＤが装着されていない場合には（ステップＳ２２；なし）、ＭＰＵ１１は、サブＭＰＵ１３に対し、ディスプレイパネル１２をユーザがカードスロット１７などを操作可能な状態とするためのオープンコマンドを発行する。
【００４６】
この結果、サブＭＰＵ１３は、モータドライバ１５を介してモータ１６を駆動し、スライドバー１６Ａを矢印Ｆ方向に駆動させる。これにより、ディスプレイパネル１２は、図２に示したように、時計回り方向に倒れ込み、摺動軸１２Ａが摺動溝１０Ｂ内を下方向に摺動して、図４に示したように、ユーザがカードスロット１７などを操作可能な状態、すなわち、オープン状態とされる（ステップＳ２３）。
【００４７】
ステップＳ１２の判別において、カードスロット１７にカード型機器ＣＲＤが装着されている場合には（ステップＳ１２；あり）、ＭＰＵ１１は、カード型機器ＣＲＤに対する電源を正規の手順で切断（電源供給を遮断）し、バスラインからカード型機器ＣＲＤを切り離す（ステップＳ２４）。そして、ＭＰＵ１１は、サブＭＰＵ１３に対し、オープンコマンドを発行し、図６に示すように、ユーザがカードスロット１７などを操作可能な状態となるようにディスプレイパネル１２をオープン状態とする（ステップＳ２３）。
【００４８】
以上の説明のように、本第２実施形態によれば、カード型機器ＣＲＤがカードスロット１７に挿入されている場合には、電源を正規の手順で切断してから、カードスロット１７への操作が可能な状態にディスプレイパネル１２の姿勢をオープン状態とするので、動作中のカード型機器ＣＲＤをユーザが誤って取り外すことがなくなり、安全にカード型機器ＣＲＤを取り外すことができる。
【００４９】
［３］第３実施形態
以上の第１実施形態においては、電源切断を行うに際しては、自動的にＭＰＵ１１が判別していたが、本第３実施形態は、ユーザの確認を待って電源を切断する場合の実施形態である。
【００５０】
本第３実施形態の構成は第１実施形態と同様であるので、詳細な説明は省略する。
図８は、第３実施形態の処理フローチャートである。
【００５１】
まず、ＭＰＵ１１は、サブＭＰＵ１３を介してオープンキー１９が操作されたことを検出すると（ステップＳ３１）、カードＩ／Ｆ１８を介してカード型機器ＣＲＤがデータ書込み中であるか否かを判別する（ステップＳ３２）
ステップＳ３２の判別において、カード型機器ＣＲＤがデータ書込み中ではない場合には（ステップＳ３２；Ｎｏ）、ＭＰＵ１１は、サブＭＰＵ１３に対し、オープンコマンドを発行し、図６に示したように、ユーザがカードスロット１７などを操作可能な状態となるようにディスプレイパネル１２をオープン状態とする（ステップＳ３３）。
【００５２】
次にＭＰＵ１１は、カードＩ／Ｆ１８を介してカード型機器ＣＲＤがデータ再生中であるか否かを判別する（ステップＳ３４）
ステップＳ３４の判別において、カード型機器ＣＲＤがデータ再生中である場合には（ステップＳ３４；Ｙｅｓ）、ＭＰＵ１１は、ディスプレイパネル１２に取り出しを行う際には、確認スイッチを押す必要がある旨を表示する（ステップＳ３８）。
【００５３】
続いてＭＰＵ１１は、所定の確認スイッチが押されたか否かを判別する（ステップＳ３９）。
ステップＳ３９の判別において、未だ確認スイッチが押されていない場合には（ステップＳ３９；Ｎｏ）、処理を再びステップＳ３８に移行し、待機状態となる。
【００５４】
ステップＳ３９の判別において、確認スイッチが押された場合には（ステップＳ３９；Ｙｅｓ）、ＭＰＵ１１は、カード型機器ＣＲＤに対する電源を正規の手順で切断（電源供給を遮断）し、バスラインからカード型機器ＣＲＤを切り離して処理を終了する（ステップＳ４０）。
【００５５】
ステップＳ３２の判別において、カード型機器ＣＲＤがデータ書込み中である場合には（ステップＳ３２；Ｙｅｓ）、ＭＰＵ１１は、書き込み中であり、当該書き込み処理を強制終了させるか否かをユーザに問い合わせるべくディスプレイパネル１２に表示する（ステップＳ３５）。
【００５６】
次にＭＰＵ１１は、ユーザの指示に基づいて書き込み処理を強制終了させるか否かを判別する（ステップＳ３６）。
【００５７】
ステップＳ３６の判別において、書き込み処理を強制終了する場合には、ＭＰＵ１１は、書き込み処理の強制処理終了後、カード型機器ＣＲＤに対する電源を正規の手順で切断（電源供給を遮断）し、バスラインからカード型機器ＣＲＤを切り離し（ステップＳ３７）、サブＭＰＵ１３に対し、オープンコマンドを発行し、図６に示したように、ユーザがカードスロット１７などを操作可能な状態となるようにディスプレイパネル１２をオープン状態として（ステップＳ３３）、処理をステップＳ３４に移行し、以下同様の処理を行う。
【００５８】
以上の説明のように、本第３実施形態によれば、カード型機器ＣＲＤがカードスロット１７に挿入されている場合には、カード型機器ＣＲＤの動作状態に応じて、ユーザに電源切断の確認を行い、ユーザの確認がとれた状態で正規の手順で電源を切断してから、カードスロット１７への操作が可能な状態にディスプレイパネル１２の姿勢をオープン状態とするので、動作中のカード型機器ＣＲＤをユーザが誤って取り外すことがなくなり、安全にカード型機器ＣＲＤを取り外すことができる。
【００５９】
［４］第４実施形態
以上の各実施形態においては、ディスプレイパネル１２をオープン状態とするに先立って電源切断を行う構成を採っていたが、本第４実施形態は、カードスロット１７の使用を中止する場合にのみ、ディスプレイパネル１２をオープン状態とする場合の実施形態である。
【００６０】
本第４実施形態の構成も第１実施形態と同様であるので、詳細な説明は省略する。
図９は、第４実施形態の処理フローチャートである。
【００６１】
まず、ＭＰＵ１１は、サブＭＰＵ１３を介してオープンキー１９が操作されたことを検出すると（ステップＳ４１）、カードスロット１７にカード型機器ＣＲＤが装着され、カード型機器ＣＲＤが使用中か否かを判別する（ステップＳ４２）。
【００６２】
ステップＳ４２の判別において、カード型機器ＣＲＤが使用中ではない場合には（ステップＳ４２；Ｎｏ）、ＭＰＵ１１は、サブＭＰＵ１３に対し、オープンコマンドを発行し、図６に示したように、ユーザがカードスロット１７などを操作可能な状態となるようにディスプレイパネル１２をオープン状態とする（ステップＳ４３）。
【００６３】
ステップＳ４２の判別において、カード型機器ＣＲＤが使用中である場合には（ステップＳ４２；Ｙｅｓ）、ＭＰＵ１１は、カードスロット１７を使用中であり、当該スロットの使用を終了するか否かをユーザに問い合わせるべくディスプレイパネル１２に表示する（ステップＳ４４）。
【００６４】
次にＭＰＵ１１は、ユーザの指示に基づいてカードスロット１７の使用を中止するか否かを判別する（ステップＳ４５）。
【００６５】
ステップＳ４５の判別において、カードスロット１７の使用を中止する場合には、ＭＰＵ１１は、カードスロット１７の使用を中止するための所定の終了処理終了後（ステップＳ４６）、サブＭＰＵ１３に対し、オープンコマンドを発行し、図６に示したように、ユーザがカードスロット１７などを操作可能な状態となるようにディスプレイパネル１２をオープン状態として（ステップＳ４３）、処理を終了する。
【００６６】
ステップＳ４５の判別において、カードスロット１７の使用を中止しない場合には、ＭＰＵ１１は、処理をそのまま終了する。すなわち、ディスプレイパネル１２の姿勢をクローズ状態のままとする。
【００６７】
以上の説明のように、本第４実施形態によれば、カード型機器ＣＲＤがカードスロット１７に挿入され、カードスロット１７が使用されている場合には、ユーザがカードスロットの使用を中止する旨の指示が与えられた状態で正規の終了処理を行ってから、カードスロット１７への操作が可能な状態にディスプレイパネル１２の姿勢をオープン状態とするので、使用中のカード型機器ＣＲＤをユーザが誤って取り外すことがなくなり、安全にカード型機器ＣＲＤを取り外すことができる。
【００６８】
以上の説明においては、車載用機器を制御するための制御プログラムがＭＰＵ１１あるいはサブＭＰＵ１３を構成するＲＯＭに予め記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い車載用機器を構成することが可能となる。
【図面の簡単な説明】
【００６９】
【図１】実施形態の車載用ディスプレイ装置の概要構成ブロック図である。
【図２】車載用機器の設置状態説明図である。
【図３】車載用機器の通常使用状態の外観斜視図である。
【図４】車載用機器のカードスロット操作状態の外観斜視図である。
【図５】第１実施形態の処理フローチャートである。
【図６】車載用機器にカード機器をカードスロットに挿入した状態の外観斜視図である。
【図７】第２実施形態の処理フローチャートである。
【図８】第３実施形態の処理フローチャートである。
【図９】第４実施形態の処理フローチャートである。
【符号の説明】
【００７０】
１０…車載用機器
１１…ＭＰＵ（姿勢制御部、告知部）
１２…ディスプレイパネル（告知部）
１３…サブＭＰＵ（姿勢制御部）
１４…操作部
１５…モータドライバ（姿勢制御部）
１６…モータ（姿勢制御部）
１７…カードスロット（カード挿入部）
１８…カードＩ／Ｆ
１９…オープンキー
２０…クローズキー
【図１】
2005255005.tif 000003
【図２】
2005255005.tif 000004
【図３】
2005255005.tif 000005
【図４】
2005255005.tif 000006
【図５】
2005255005.tif 000007
【図６】
2005255005.tif 000008
【図７】
2005255005.tif 000009
【図８】
2005255005.tif 000010
【図９】
2005255005.tif 000011